【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
第１の電力モード又は前記第１の電力モードより消費電力が少ない第２の電力モードで動作する電子機器であって、
前記第１の電力モード中の前記電子機器の消費電力量を計測する計測手段と、
前記第２の電力モード中の前記電子機器の消費電力量を算出する第１の算出手段と、
前記計測手段で計測した消費電力量と前記第１の算出手段で算出した消費電力量を合算して前記電子機器の総消費電力量を算出する第２の算出手段と、
を備えることを特徴とする電子機器。
【請求項２】
前記計測手段は、前記第２の電力モード中には、前記消費電力量の計測を行わないことを特徴とする請求項１に記載の電子機器。
【請求項３】
前記第１の算出手段は、前記電子機器が前記第２の電力モードから前記第１の電力モードへ復帰した後の前記第１の電力モード中に、前記第２の電力モード中の前記電子機器の消費電力量を算出することを特徴とする請求項１又は２に記載の電子機器。
【請求項４】
前記電子機器の前記第２の電力モード中の単位時間当りの消費電力量の情報を予め記憶する記憶手段を有し、
前記第１の算出手段は、前記電子機器が前記第２の電力モードに移行してから前記第１の電力モードへ復帰するまでの経過時間と、前記記憶手段に記憶される前記電子機器の前記第２の電力モード中の単位時間当りの消費電力量の情報とを用いて、前記電子機器の前記第２の電力モード中の消費電力量を算出することを特徴とする請求項１乃至３のいずれか１項に記載の電子機器。
【請求項５】
前記第２の算出手段は、前記算出した前記電子機器の総消費電力量を保持手段に保持するものであり、
前記保持手段により保持されている消費電力量の情報を出力する出力手段を有することを特徴とする請求項１乃至４のいずれか１項に記載の電子機器。
【請求項６】
第１の電力モード又は前記第１の電力モードより消費電力が少ない第２の電力モードで動作する１又は複数の電子機器と、前記電子機器を管理する管理装置とがネットワークを介して通信可能に接続された電子機器管理システムであって、
前記電子機器は、
前記第１の電力モード中の前記電子機器の消費電力量を計測する計測手段と、
前記計測手段で計測した消費電力量の情報を消費電力量通知として前記管理装置に通知する消費電力量通知手段と、を有し、
前記管理装置は、
前記電子機器で計測された前記電子機器の前記第１の電力モード中の消費電力量を収集する収集手段と、
前記電子機器の前記第２の電力モード中の消費電力量を算出する第１の算出手段と、
前記収集手段で収集した消費電力量と前記第１の算出手段で算出した消費電力量を前記電子機器ごとに合算して前記電子機器ごとの総消費電力量を算出する第２の算出手段と、を有することを特徴とする電子機器管理システム。
【請求項７】
前記計測手段は、前記第２の電力モード中には、前記消費電力量の計測を行わないことを特徴とする請求項６に記載の電子機器管理システム。
【請求項８】
前記電子機器は、前記電子機器が前記第１の電力モードから前記第２の電力モードに移行したこと、又は、前記第２の電力モードから前記第１の電力モードに移行したことを示す動作モード移行通知を前記管理装置に送信する動作モード通知手段を有し、
前記管理装置は、前記電子機器からの前記動作モード移行通知に応じて前記電子機器が前記第２の電力モードであるか前記第１の電力モードであるかを判断する電源状態管理手段を有し、
前記収集手段は、前記電源状態管理手段により前記第１の電力モードであると判断された電子機器に対して、前記電子機器で計測された前記電子機器の前記第１の電力モード中の消費電力量を要求するものであり、
前記消費電力量通知手段は、前記管理装置からの要求に応じて前記計測手段で計測した消費電力量を消費電力量通知として前記管理装置に通知することを特徴とする請求項６又は７に記載の電子機器管理システム。
【請求項９】
前記第１の算出手段は、前記電源状態管理手段により前記電子機器が前記第２の電力モードから前記第１の電力モードへ移行したと判断された電子機器の前記第２の電力モード中の消費電力量を、前記電子機器が前記第２の電力モードに移行してから前記第１の電力モードへ復帰するまでの経過時間を用いて算出することを特徴とする請求項８に記載の電子機器管理システム。
【請求項１０】
前記第１の算出手段は、前記電源状態管理手段により前記電子機器が前記第２の電力モードであると判断された電子機器の前記第２の電力モードに移行してから現在までの消費電力量を、前記電子機器が前記第２の電力モードに移行してから現在までの経過時間を用いて算出することを特徴とする請求項８に記載の電子機器管理システム。
【請求項１１】
前記管理装置は、前記電子機器ごとに前記第２の電力モード中の単位時間当りの消費電力量の情報を予め記憶する記憶手段を有し、
前記第１の算出手段は、前記経過時間と、前記記憶手段に前記電子機器ごとに記憶される前記電子機器の第２の電力モード中の単位時間当りの消費電力量の情報とを用いて、前記電子機器の前記第２の電力モード中の消費電力量を算出することを特徴とする請求項９又は１０に記載の電子機器管理システム。
【請求項１２】
前記動作モード通知手段、及び、消費電力量通知手段は、前記通知に、前記電子機器の識別情報を含めることを特徴とする請求項８乃至１１のいずれか１項に記載の電子機器管理システム。
【請求項１３】
前記動作モード通知手段は、前記電子機器が前記第１の電力モードから前記第２の電力モードに移行する際には、前記計測手段で計測した消費電力量の情報を、前記動作モード移行通知に含めることを特徴とする請求項８乃至１２のいずれか１項に記載の電子機器管理システム。
【請求項１４】
前記第２の算出手段は、前記算出した前記電子機器ごとの総消費電力量を保持手段に保持するものであり、
前記保持手段により保持されている前記電子機器ごとの総消費電力量の情報を出力する出力手段を有することを特徴とする請求項６乃至１３のいずれか１項に電子機器管理システム。
【請求項１５】
前記第１の算出手段は、前記出力手段がデバイスの消費電力量の情報を出力する前に、前記電子機器の消費電力量を算出することを特徴とする請求項１４に記載の電子機器管理システム。
【請求項１６】
前記電子機器は、前記管理装置から前記電子機器の消費電力量の情報を取得して前記電子機器の表示手段に表示する消費電力量表示手段を有し、
前記出力手段は、前記電子機器からの要求に応じて、前記保持手段に保持される前記電子機器の消費電力量の情報を前記電子機器に送信することを特徴とする請求項１４に記載の電子機器管理システム。
【請求項１７】
第１の電力モード又は前記第１の電力モードより消費電力が少ない第２の電力モードで動作する電子機器の制御方法であって、
計測手段が、前記第１の電力モード中の前記電子機器の消費電力量を計測する計測ステップと、
第１の算出手段が、前記第２の電力モード中の前記電子機器の消費電力量を算出する第１の算出ステップと、
第２の算出手段が、前記計測ステップで計測された消費電力量と前記第１の算出ステップで算出された消費電力量を合算して前記電子機器の総消費電力量を算出する第２の算出ステップと、
を備えることを特徴とする電子機器の制御方法。
【請求項１８】
第１の電力モード又は前記第１の電力モードより消費電力が少ない第２の電力モードで動作する１又は複数の電子機器と、前記電子機器を管理する管理装置とがネットワークを介して通信可能に接続された電子機器管理システムの制御方法であって、
前記電子機器の計測手段が、前記第１の電力モード中の前記電子機器の消費電力量を計測する計測ステップと、
前記電子機器の消費電力量通知手段が、前記計測ステップで計測された消費電力量の情報を消費電力量通知として前記管理装置に通知する消費電力量通知ステップと、
前記管理装置の収集手段が、前記電子機器で計測された前記電子機器の前記第１の電力モード中の消費電力量を収集する収集ステップと、
前記管理装置の第１の算出手段が、前記電子機器の前記第２の電力モード中の消費電力量を算出する第１の算出ステップと、
前記管理装置の第２の算出手段が、前記収集ステップで収集された消費電力量と前記第１の算出ステップで算出された消費電力量を前記電子機器ごとに合算して前記電子機器ごとの総消費電力量を算出する第２の算出ステップと、
を有することを特徴とする電子機器管理システムの制御方法。
【請求項１９】
第１の電力モード又は前記第１の電力モードより消費電力が少ない第２の電力モードで動作する電子機器に設けられたコンピュータを、請求項１乃至５のいずれか１項に記載された電子機器の手段として機能させるためのプログラム。
【請求項２０】
第１の電力モード又は前記第１の電力モードより消費電力が少ない第２の電力モードで動作する電子機器に設けられたコンピュータを、請求項６乃至１６のいずれか１項に記載された電子機器の手段として機能させるためのプログラムと、管理装置に設けられたコンピュータを、請求項６乃至１６のいずれか１項に記載された管理装置の手段として機能させるためのプログラムとを有するプログラム。
【手続補正２】
【補正対象書類名】明細書
【補正対象項目名】０００９
【補正方法】変更
【補正の内容】
【０００９】
本発明は、第１の電力モード又は前記第１の電力モードより消費電力が少ない第２の電力モードで動作する電子機器であって、前記第１の電力モード中の前記電子機器の消費電力量を計測する計測手段と、前記第２の電力モード中の前記電子機器の消費電力量を算出する第１の算出手段と、前記計測手段で計測した消費電力量と前記第１の算出手段で算出した消費電力量を合算して前記電子機器の総消費電力量を算出する第２の算出手段と、を備えることを特徴とする。